(57)【要約】【課題】コンパクトで部品点数が少ない構成で絞羽根と周辺部材の干渉を防ぐことができるレンズ鏡筒の絞機構を得る。【解決手段】支持環の撮影光路用開口の周囲に形成され光軸と直交する絞羽根支持面と、この絞羽根支持面上に形成されて光軸側から支持環の外径方向に向けて延設された長溝と、支持環に対して光軸と平行な回動軸を中心として回動可能に支持され、絞羽根支持面に沿って回動して撮影光路用開口の開口径を変化させる絞羽根とを有し、光軸を中心とする４つの象限のうち対角位置にある２つの象限の一方と他方に長溝と絞羽根の回動中心を配置し、絞羽根はいずれの回動位置にあるときも長溝を幅方向に橋絡して絞羽根支持面に支持される形状をなす。【選択図】図５
2012220584.tif 000002
【特許請求の範囲】
【請求項１】
光軸上に撮影光路用開口を有する支持環；
前記支持環の前記撮影光路用開口の周囲に形成した、光軸と直交する絞羽根支持面；
前記支持環の前記絞羽根支持面上に形成され、前記撮影光路用開口が位置する光軸側から前記支持環の外径方向に向けて延設された長溝；及び
前記支持環に対して光軸と平行な回動軸を中心として回動可能に支持され、前記絞羽根支持面に沿って回動して前記撮影光路用開口の開口径を変化させる絞羽根；
を有し、
光軸を中心とする４つの象限のうち対角位置にある２つの象限の一方と他方に前記長溝と前記絞羽根の回動中心を配置し、前記絞羽根はいずれの回動位置にあるときも前記長溝を幅方向に橋絡して前記絞羽根支持面に支持される形状をなすことを特徴とするレンズ鏡筒の絞機構。
【請求項２】
請求項１記載のレンズ鏡筒の絞機構において、前記絞羽根は、少なくとも、前記長溝と前記絞羽根の回動中心が設けられる前記２つの象限以外の２つの象限で前記絞羽根支持面と常時重畳して支持されるレンズ鏡筒の絞機構。
【請求項３】
請求項１または２記載のレンズ鏡筒の絞機構において、前記絞羽根は、光軸方向に貫通して前記撮影光路用開口との重畳位置の変化によりその開口径を変化させる開口部と、該開口部の周囲の遮光板部とを有し、該遮光板部が前記開口部の全体を囲む閉鎖開口形状をなすレンズ鏡筒の絞機構。
【請求項４】
請求項１または２記載のレンズ鏡筒の絞機構において、前記絞羽根は、光軸方向に貫通して前記撮影光路用開口との重畳位置の変化によりその開口径を変化させる開口部と、該開口部の周囲の遮光板部を有し、該遮光板部が前記開口部を部分的に囲み該開口部の一部が外縁に開放された開放開口形状をなすレンズ鏡筒の絞機構。
【請求項５】
請求項１ないし４のいずれか１項記載のレンズ鏡筒の絞機構において、前記絞羽根支持面を光軸方向に対向させた前後一対の前記支持環を備え、該一対の支持環の絞羽根支持面の間に一対の前記絞羽根が光軸方向に隣接して設けられているレンズ鏡筒の絞機構。
【発明の詳細な説明】
【技術分野】
【０００１】
本発明はレンズ鏡筒の絞機構に関する。
【背景技術】
【０００２】
レンズ鏡筒で光線が通る開口径を変化させる可変開口絞機構は様々なタイプが知られているが、特許文献１のように光軸と直交する面に沿って回動する絞羽根（セクター）を用いるものが多用されている。
【先行技術文献】
【特許文献】
【０００３】
【特許文献１】特開２００１−１１７１３５号公報
【発明の概要】
【発明が解決しようとする課題】
【０００４】
開口形成部材として絞羽根を用いる可変開口絞機構では、絞羽根が回動する際に、他の部位との干渉による動作不良の発生を防ぐ必要がある。その対策として、引っ掛かりを生じ得る段差部が絞羽根に隣接して存在する場合には、当該段差部と絞羽根の間にシートなどの干渉防止部材を配していたが、干渉防止部材による構成の複雑化や大型化（特に光軸方向の厚み増大）を防ぎたいという要求があった。
【０００５】
本発明は以上の問題意識に基づきなされたものであり、コンパクトで部品点数が少ない構成で絞羽根と周辺部材の干渉を防ぐことができるレンズ鏡筒の絞機構を得ることを目的とする。
【課題を解決するための手段】
【０００６】
本発明は、光軸上に撮影光路用開口を有する支持環と、支持環の撮影光路用開口の周囲に形成され光軸と直交する絞羽根支持面と、支持環の絞羽根支持面上に形成され、撮影光路用開口が位置する光軸側から支持環の外径方向に向けて延設された長溝と、支持環に対して光軸と平行な回動軸を中心として回動可能に支持され、絞羽根支持面に沿って回動して撮影光路用開口の開口径を変化させる絞羽根とを有するレンズ鏡筒の絞機構において、光軸を中心とする４つの象限のうち対角位置にある２つの象限の一方と他方に長溝と絞羽根の回動中心を配置し、絞羽根はいずれの回動位置にあるときも長溝を幅方向に橋絡して絞羽根支持面に支持される形状をなすことを特徴としている。
【０００７】
具体的には、絞羽根が少なくとも、長溝と絞羽根の回動中心が設けられる前記２つの象限以外の２つの象限で絞羽根支持面と常時重畳して支持されるように構成するとよい。
【０００８】
絞羽根は、光軸方向に貫通して撮影光路用開口との重畳位置の変化によりその開口径を変化させる開口部と、該開口部の周囲の遮光板部とを有し、該遮光板部が開口部の全体を囲む閉鎖開口形状とすることが好ましい。あるいは、遮光板部が開口部を部分的に囲み該開口部の一部が外縁に開放された開放開口形状とすることも可能である。
【０００９】
本発明は、単独の支持環と絞羽根からなる絞機構にも適用可能であるが、絞羽根支持面を光軸方向に対向させた前後一対の支持環を備え、該一対の支持環の絞羽根支持面の間に一対の絞羽根を光軸方向に隣接させて設けた構成においてより有効となる。
【発明の効果】
【００１０】
以上の本発明によれば、特別な干渉防止用の部材を設けることなく、支持環の絞羽根支持面上に形成した長溝に対する絞羽根の干渉を防ぐことができ、コンパクトで部品点数が少ないレンズ鏡筒の絞機構を得ることができる。
【図面の簡単な説明】
【００１１】
【図１】本発明を適用した可変開口絞機構を搭載したズームレンズ鏡筒の一実施形態を示す撮影状態（ズーム域）での断面図である。
【図２】同ズームレンズ鏡筒の収納（沈胴）状態での断面図である。
【図３】可変開口絞機構を構成する絞羽根とその支持構造を示す、光軸方向前方から見た分解斜視図である。
【図４】可変開口絞機構を構成する絞羽根とその支持構造を示す、光軸方向後方から見た分解斜視図である。
【図５】可変開口絞機構の大開口形成状態における２群レンズ移動枠と第２絞羽根を示す図である。
【図６】可変開口絞機構の大開口形成状態におけるシャッタブロックと第１絞羽根を示す図である。
【図７】可変開口絞機構の小開口形成状態における２群レンズ移動枠と第２絞羽根を示す図である。
【図８】可変開口絞機構の小開口形成状態におけるシャッタブロックと第１絞羽根を示す図である。
【図９】第２の実施形態の可変開口絞機構の大開口形成状態における２群レンズ移動枠と第２絞羽根を示す図である。
【図１０】第２の実施形態の可変開口絞機構の大開口形成状態におけるシャッタブロックと第１絞羽根を示す図である。
【図１１】第２の実施形態の可変開口絞機構の小開口形成状態における２群レンズ移動枠と第２絞羽根を示す図である。
【図１２】第２の実施形態の可変開口絞機構の小開口形成状態におけるシャッタブロックと第１絞羽根を示す図である。
【発明を実施するための形態】
【００１２】
最初に図１及び図２を参照して、本発明を適用した沈胴式ズームレンズ鏡筒ＺＬの一実施形態の全体構造を説明する。このズームレンズ鏡筒ＺＬの撮像光学系は、物体（被写体）側から順に第１レンズ群ＬＧ１、シャッタＳ、可変開口絞Ａ、第２レンズ群ＬＧ２、第３レンズ群ＬＧ３、ローパスフィルタ２５及び撮像素子２６を備えている。以下の説明中で光軸方向とは、この撮影光学系の光軸Ｏと平行な方向を意味し、前方とは光軸方向の前方（被写体側）、後方とは光軸方向の後方（像面側）を意味する。
【００１３】
ズームレンズ鏡筒ＺＬは固定部材として筒状のハウジング２２を有し、ハウジング２２の後部に撮像素子ホルダ２１が固定される。ローパスフィルタ２５と撮像素子２６はユニット化されて撮像素子ホルダ２１の前面部に固定されている。
【００１４】
第３レンズ群ＬＧ３は、ズームレンズ鏡筒ＺＬにおけるフォーカスレンズ群であり、３群レンズ枠５１に保持されて光軸方向に移動可能に支持されている。３群レンズ枠５１は、図示を省略したＡＦモータの駆動によって光軸方向に移動される。
【００１５】
ハウジング２２の内側には、３群レンズ枠５１の支持駆動手段とは別に、図示を省略したズームモータにより駆動制御される変倍群（カム環）ブロックが支持されている。変倍群（カム環）ブロックは、直進案内環１０、カム環１１、繰出筒１２及び２群レンズブロック８０を含んでいる。
【００１６】
カム環１１は、繰出筒１２と共にズームレンズ鏡筒ＺＬの外観筒を構成しており、ハウジング２２の内周面に形成したカム環ガイド溝２２ａに対して摺動可能に嵌るガイド突起１１ａを有する。カム環１１は、ズームモータにより回転駆動されるズームギヤ（図示略）の駆動力をギヤ部１１ｂで受けて回転され、カム環ガイド溝２２ａの案内により回転しながら光軸方向に移動する。
【００１７】
直進案内環１０は、ハウジング２２の内面に形成した直進案内溝２２ｂに対して直進案内突起１０ａを摺動可能に係合させることで、光軸方向に直進移動可能に案内されている。直進案内突起１０ａの基部を構成する壁部と回転案内爪１０ｂの間に回転案内爪１１ｃを挟むことによって（図１の下半断面参照）、２群用直進案内環１０とカム環１１は、相対回転は可能で光軸方向に共に移動するように結合されている。
【００１８】
図３及び図４に示すように、２群レンズブロック８０は、２群レンズ移動枠（支持環）８の前部にシャッタブロック（支持環）１００を固定した構成であり、２群レンズ移動枠８から外径方向に突出する直進案内キー８ａを、直進案内環１０に形成した光軸方向への長孔である直進案内スロット１０ｃに対して摺動可能に係合させることにより光軸方向へ直進案内されている。シャッタブロック１００は光軸Ｏを囲む環状をなす筐体を有し、シャッタＳは該筐体内に光軸Ｏと平行な軸により軸支された複数枚のシャッタ羽根で構成され、この複数のシャッタ羽根をシャッタブロック１００に内蔵したアクチュエータにより駆動することで、シャッタＳが開閉される。シャッタブロック１００の後部には、ズームレンズ鏡筒ＺＬの状態（焦点距離）に応じて開口径が変化する可変開口絞Ａが設けられている。可変開口絞Ａは、光軸Ｏと平行な軸により軸支された第１絞羽根７４と第２絞羽根７５を有し、ズーム域のテレ端側（図１の下半断面）では開放Ｆ値を小さくするため開口径を大きくし、ワイド端側（図１の上半断面）では有害光線（像性能に寄与しない収差大の光）の入射を制限するべく開口径を小さくするように開度が切り替えられる。可変開口絞Ａの詳細については後述する。
【００１９】
また、２群レンズ移動枠８の内部には、自由端部に第２レンズ群ＬＧ２を保持する２群レンズ保持枠６の基部が光軸方向に軸線を向けた回動軸（図示せず）を中心として揺動可能に支持されている。第２レンズ群ＬＧ２は、ワイド端からテレ端までのズーム域全体においては、図１に示す光軸上への挿入位置に位置し、収納位置においては、図２に示す光軸からの退避位置（光軸Ｏ上からの離脱位置）に位置する。
【００２０】
カム環１１の内周面に形成した２群制御カム溝ＣＧ２に対し、２群レンズ移動枠８に設けた２群用カムフォロアＣＦ２が摺動可能に係合している。２群用カムフォロアＣＦ２は、直進案内キー８ａの外径部に設けられ、直進案内環１０を径方向に貫通する直進案内スロット１０ｃを通して２群用カムフォロアＣＦ２との係合位置まで突出されている。２群レンズ移動枠８（２群レンズブロック８０）は直進案内環１０を介して光軸方向に直進案内されているため、カム環１１が回転すると、２群制御カム溝ＣＧ２の形状に従って、２群レンズ移動枠８（２群レンズブロック８０）が光軸方向へ所定の軌跡で移動する。
【００２１】
繰出筒１２内には第１レンズ群ＬＧ１が保持されている。繰出筒１２は内面側に設けた直進案内キー１２ａ（図１）を直進案内環１０の直進案内溝１０ｄに対して摺動可能に係合させることで光軸方向へ直進案内されている。なお、繰出筒１２の直進案内機構である直進案内溝１０ｄ及び直進案内キー１２ａと、２群レンズブロック８０の直進案内機構である直進案内スロット１０ｃ及び直進案内キー８ａを、図１の上半断面で同一断面位置に示しているが、それぞれの直進案内機構の実際の周方向位置は異なる。
【００２２】
カム環１１の内周面に形成した１群制御カム溝ＣＧ１に対し、繰出筒１２の後端部付近に設けた１群用カムフォロアＣＦ１が摺動可能に係合している。繰出筒１２は直進案内環１０を介して光軸方向に直進案内されているため、カム環１１が回転すると、１群制御カム溝ＣＧ１の形状に従って繰出筒１２が光軸方向へ所定の軌跡で移動する。
【００２３】
以上の構造によって変倍群（カム環）ブロックは、ズームモータによってカム環１１を回転駆動させると、該カム環１１と直進案内環１０が光軸方向に移動すると共に、カム環１１の１群制御カム溝ＣＧ１と２群制御カム溝ＣＧ２の案内によって繰出筒１２と２群レンズブロック８０が光軸方向に所定の軌跡で相対移動する。図１の上半に示すワイド端と図１の下半に示すテレ端の間のズーム域では、この繰出筒１２と２群レンズブロック８０の相対移動によって第１レンズ群ＬＧ１と第２レンズ群ＬＧ２の位置を変化させて焦点距離を変化させる。また、ＡＦモータの駆動力により第３レンズ群ＬＧ３を保持する３群レンズ枠５１を光軸方向に移動させることによりフォーカシングを行う。図１の上半のワイド端位置からズームモータを収納方向に駆動すると、カム環１１や直進案内環１０を含む変倍群（カム環）ブロックが光軸方向後方に移動されて撮像素子ホルダ２１に接近し、やがて図２に示す収納状態になる。この収納動作の途中で、２群レンズ移動枠８内に保持された２群レンズ保持枠６は撮像素子ホルダ２１に設けた退避案内突起（不図示）に当接し、図１に示す光軸上への挿入位置から図２に示す光軸からの退避位置に回動される。
【００２４】
図３ないし図８は、ズームレンズ鏡筒ＺＬに搭載された可変開口絞Ａとその支持構造の一実施形態を示している。２群レンズブロック８０を構成する２群レンズ移動枠８は、その周縁部から前方に突出する係止腕８ｂを備え、シャッタブロック１００はこの係止腕８ｂをスナップフィットさせる係止凹部１００ａを備えていて、２群レンズ移動枠８とシャッタブロック１００の間に可変開口絞Ａを支持した状態で、係止腕８ｂと係止凹部１００ａが係合している。可変開口絞Ａを構成する第１絞羽根７４と第２絞羽根７５はそれぞれ、薄板状の遮光板部７４ｄ、７５ｄ上に光軸方向へ貫通する態様で回動中心穴７４ａ、７５ａ、開閉カム穴７４ｂ、７５ｂ、及び開口形成部７４ｃ、７５ｃを有している。第１絞羽根７４と第２絞羽根７５はいずれも、開口形成部７４ｃ、７５ｃの周囲が遮光板部７４ｄ、７５ｄによって閉じられた（遮光板部７４ｄ、７５ｄが開口形成部７４ｃ、７５ｃを囲む環状をなす）閉鎖開口形状をなし、それぞれの開口形成部７４ｃ、７５ｃは、部分円形状の大径穴部７４ｃ１、７５ｃ１と部分円形状の小径穴部７４ｃ２、７５ｃ２の組み合わせによって形成されている。
【００２５】
２群レンズ移動枠８の前面（シャッタブロック１００に対向する側の面）には、第１絞羽根７４と第２絞羽根７５のそれぞれの回動中心穴７４ａ、７５ａに嵌まる２つの軸突起８１、８２が突出形成されている。第１絞羽根７４は軸突起８１を中心に回動（揺動）可能に支持され、第２絞羽根７５は軸突起８２を中心に回動（揺動）可能に支持される。第１絞羽根７４と第２絞羽根７５は、開口形成部７４ｃ、７５ｃの大径穴部７４ｃ１、７５ｃ１が重なって大開口Ａａを形成する大開口形成位置（図５、図６）と、開口形成部７４ｃ、７５ｃの小径穴部７４ｃ２、７５ｃ２が重なって小開口Ａｂを形成する小開口位置（図７、図８）に回動することができる。２群レンズ移動枠８に支持される第２レンズ群ＬＧ２は、全レンズ群中で最も小径のレンズ群であり、この小径レンズ群の前方に配置することで可変開口絞Ａを小型にすることができる。
【００２６】
２群レンズ移動枠８の前面にはまた、光軸Ｏと直交する平面である絞羽根支持面８ｃと、絞羽根支持面８ｃの中央付近に形成され光軸Ｏを中心とする円形状の中央開口８ｄと、中央開口８ｄに連通する貫通長溝部（長溝）８ｅが形成されている。貫通長溝部８ｅは、中央開口８ｄが形成された光軸Ｏ側から、２群レンズ移動枠８の外縁部近傍に形成される外縁開口部８ｆまで外径方向に向けて延設される。第２絞羽根７５は絞羽根支持面８ｃの前方に隣接しており、絞羽根支持面８ｃに沿って回動する。中央開口８ｄと貫通長溝部８ｅはいずれも光軸Ｏと平行な方向に貫通形成されており、２群レンズ保持枠６の前端部付近が進入する。具体的には、２群レンズ保持枠６が図１に示す光軸上の挿入位置にあるときには、２群レンズ保持枠６の前端部付近が中央開口８ｄに進入し（図１）、２群レンズ保持枠６が光軸Ｏ上から離脱する退避位置に向けて移動するとき、２群レンズ保持枠６の前端部付近が貫通長溝部８ｅに進入する。図５に示すように、中央開口８ｄは大開口Ａａ（大径穴部７５ｃ１）よりも大径である。
【００２７】
シャッタブロック１００には、光軸Ｏを中心とする円形状の固定開口１００ｂが、光軸Ｏと平行な方向に貫通形成されている。図６に示すように、固定開口１００ｂは大開口Ａａ（大径穴部７４ｃ１）よりも小径である。つまり、可変開口絞Ａが大開口Ａａを形成するとき、光軸Ｏを中心とする実際の光路開口は固定開口１００ｂによって規定される。シャッタブロック１００の後面（２群レンズ移動枠８に対向する側の面）には、固定開口１００ｂの周囲に絞羽根支持面１００ｃと有底長溝部（長溝）１００ｄが形成されている。絞羽根支持面１００ｃは光軸Ｏと直交する平面である。第１絞羽根７４は絞羽根支持面１００ｃの後方に隣接しており、絞羽根支持面１００ｃに沿って回動する。有底長溝部１００ｄは、絞羽根支持面１００ｃに対して光軸方向前方にオフセットして形成された有底の凹部であり、固定開口１００ｂが形成された光軸Ｏ側から、シャッタブロック１００の外縁部近傍に形成される外縁開口部１００ｅまで外径方向へ向けて延設される。有底長溝部１００ｄ内には、図示を省略するＮＤフィルタが支持される。なお、シャッタＳは固定開口１００ｂの前方に位置している。
【００２８】
シャッタブロック１００と２群レンズ移動枠８の間には、光軸と平行な開閉軸７２が回転自在に支持されている。図１と図２に示すように、シャッタブロック１００には、開閉軸７２の前端小径部を挿入支持する回動支持穴１００ｘが形成され、２群レンズ移動枠８には、開閉軸７２の後端小径部を挿入支持する回動支持穴８ｘが形成されている。この開閉軸７２は、径方向に突出する径方向腕７２ａを有し、この径方向腕７２ａ上の偏心位置に、軸突起８１と軸突起８２の間に位置して、第１絞羽根７４と第２絞羽根７５の開閉カム穴７４ｂ、７５ｂに共通に嵌まる開閉ピン７２ｂが設けられている。開閉カム穴７４ｂ、７５ｂは、大開口維持領域７４ｂ１、７５ｂ１と小開口維持領域７４ｂ２、７５ｂ２を有しており、開閉ピン７２ｂが大開口維持領域７４ｂ１、７５ｂ１と小開口維持領域７４ｂ２、７５ｂ２の間を移動するときに、第１絞羽根７４と第２絞羽根７５が回動中心穴７４ａ、７５ａを中心に回動して開口形成部７４ｃ、７５ｃによる開口径が大開口Ａａと小開口Ａｂの間で変化する。つまり、開閉ピン７２ｂが大開口維持領域７４ｂ１、７５ｂ１内に位置するときには、同開口径が大開口Ａａに維持され、開閉ピン７２ｂが小開口維持領域７４ｂ２、７５ｂ２内に位置するときには、同開口径が小開口Ａｂに維持される。２群レンズ移動枠８の前面には、第１絞羽根７４が当接可能なストッパ突起８６と第２絞羽根７５が当接可能なストッパ突起８７が突出形成されていて、各絞羽根７４、７５はそれぞれ対応するストッパ突起８６、８７に対して小開口形成位置で当接してその位置が正確に維持される。
【００２９】
２群レンズ移動枠８には、軸突起８１と同軸に、該軸突起８１より大径のバネ掛け柱８３が形成されており、このバネ掛け柱８３に回動付勢バネ８４のコイル部８４ａが嵌められている。回動付勢バネ８４は、コイル部８４ａから延びて反力受け部８５に支持されるトーション腕８４ｂと、コイル部８４ａから延びて開閉軸７２に形成したバネ掛け腕部７２ｃに支持されるトーション腕８４ｃを有しており、開閉軸７２を図５及び図７の時計方向、図６及び図８の反時計方向に回動付勢している。この回動付勢バネ８４の回動付勢力によって図５に示すようにバネ掛け腕部７２ｃが２群レンズ移動枠８の内周面に当接することで、開閉軸７２の自由状態での位置が決まる。開閉軸７２の自由状態の位置で開閉ピン７２ｂは、第１絞羽根７４と第２絞羽根７５の開閉カム穴７４ｂ、７５ｂの大開口維持領域７４ｂ１、７５ｂ１に位置して、開口形成部７４ｃ、７５ｃによる開口径を大開口Ａａに維持する。つまり、本実施形態の可変開口絞Ａは常開型として構成されている。
【００３０】
開閉軸７２にはまた、径方向に突出させて回動制御突起７２ｄが形成されている。この回動制御突起７２ｄは、ズームレンズ鏡筒ＺＬのテレ端からワイド端の直前においては外力を受けることがなく、従って第１絞羽根７４と第２絞羽根７５は大開口Ａａに維持されている（図５及び図６）。これに対し、２群レンズ移動枠８が撮影領域の後方端に位置するワイド端近傍においては、回動制御突起７２ｄが直進案内環１０の内面に形成した強制回動案内面（図示略）に係合して、回動付勢バネ８４の力に抗して回動し、その結果、第１絞羽根７４と第２絞羽根７５は、開閉軸７２の開閉ピン７２ｂ及び開閉カム穴７４ｂ、７５ｂを介して、小開口Ａｂになる（図７及び図８）。つまり、短焦点距離側で有害光の除去が図られる。
【００３１】
シャッタブロック１００の絞羽根支持面１００ｃと２群レンズ移動枠８の絞羽根支持面８ｃはいずれも、第１絞羽根７４と第２絞羽根７５の回動平面と略平行な面であり、第１絞羽根７４が絞羽根支持面１００ｃに面して位置し、第２絞羽根７５が絞羽根支持面８ｃに面して位置している。シャッタブロック１００の後面側では、絞羽根支持面１００ｃと有底長溝部１００ｄとの間に段差があり、２群レンズ移動枠８の前面側では、絞羽根支持面８ｃと中央開口８ｄ及び貫通長溝部８ｅとの間に段差がある。以下に述べるように、これらの段差に対して引っ掛かりを生じずにスムーズに第１絞羽根７４と第２絞羽根７５の回動を行うことが可能な構造になっている。
【００３２】
まず、第２絞羽根７５と２群レンズ移動枠８の関係を説明する。図５及び図７に示すように、光軸Ｏを中心として９０度ずつ等分した４つの角度範囲である第１〜第４象限Ｑ１〜Ｑ４を設定すると、第１象限Ｑ１に外縁開口部８ｆを含む貫通長溝部８ｅが形成されていて、これと対角の位置にある第３象限Ｑ３に第２絞羽根７５の回動中心である回動中心穴７５ａ及び軸突起８２が設けられている。そして、図５の大開口形成位置から図７の小開口形成位置までの第２絞羽根７５の回動域の全体において、第２絞羽根７５の遮光板部７５ｄと絞羽根支持面８ｃの重畳領域が、第１象限Ｑ１から第４象限Ｑ４の全てに存在している。この配置により、回動平面（光軸Ｏと直交する平面）に対する第２絞羽根７５の傾きを絞羽根支持面８ｃによって抑え、第２絞羽根７５の平面性を維持することができる。また、貫通長溝部８ｅが形成される第１象限Ｑ１を挟む両側の第２象限Ｑ２及び第４象限Ｑ４で第２絞羽根７５の遮光板部７５ｄと絞羽根支持面８ｃが常時重畳し、第１象限Ｑ１において第２絞羽根７５（遮光板部７５ｄ）が貫通長溝部８ｅを幅方向（図５及び図７の左右方向）に跨ぐ橋絡形状となるため、第２絞羽根７５において貫通長溝部８ｅの縁部と干渉する可能性を持つ箇所がなくなる。従って、第２絞羽根７５の回動に際して、貫通長溝部８ｅの縁部に対して第２絞羽根７５の一部が引っ掛かることなくスムーズに動作させることができる。特に、第２絞羽根７５を開口形成部７５ｃの外側全体が遮光板部７５ｄによって囲まれた閉鎖開口形状としたことにより、平面性の維持、貫通長溝部８ｅとの干渉防止に関してより有利になっている。
【００３３】
続いて第１絞羽根７４とシャッタブロック１００の関係を説明する。図６及び図８に示すように、光軸Ｏを中心として９０度ずつ等分して設定した第１〜第４象限Ｑ１〜Ｑ４のうち、第１象限Ｑ１に外縁開口部１００ｅを含む有底長溝部１００ｄが形成されていて、これと対角の位置にある第３象限Ｑ３に第１絞羽根７４の回動中心である回動中心穴７４ａが設けられている。そして、図６の大開口形成位置から図８の小開口形成位置までの回動域の全体において、第１絞羽根７４の遮光板部７４ｄと絞羽根支持面１００ｃの重畳領域が、第２象限Ｑ２、第３象限Ｑ３及び第４象限Ｑ４に存在している（第１象限Ｑ１については、図６の大開口形成位置付近を除き、第１絞羽根７４の回動域の大半で遮光板部７４ｄが絞羽根支持面１００ｃと重畳する）。前述の第２絞羽根７５と２群レンズ移動枠８の関係と同様に、第２象限Ｑ２及び第４象限Ｑ４で第１絞羽根７４の遮光板部７４ｄと絞羽根支持面１００ｃが常時重畳し、第１絞羽根７４（遮光板部７４ｄ）が有底長溝部１００ｄを幅方向（図６及び図８の左右方向）に跨ぐ橋絡形状となっているため、第１絞羽根７４において有底長溝部１００ｄの縁部と干渉する可能性を持つ箇所が存在しない。また、回動平面（光軸Ｏと直交する平面）に対する第１絞羽根７４の傾きを絞羽根支持面１００ｃによって抑え、第１絞羽根７４の平面性を維持することができる。よって、第１絞羽根７４は、有底長溝部１００ｄの縁部に対して引っ掛かることなくスムーズに動作することができる。特に、第１絞羽根７４を開口形成部７４ｃの外側全体が遮光板部７４ｄによって囲まれた閉鎖開口形状としたことにより、平面性の維持、有底長溝部１００ｄとの干渉防止に関してより有利になっている。
【００３４】
以上の構成により、第２絞羽根７５と２群レンズ移動枠８の間や、第１絞羽根７４とシャッタブロック１００の間に干渉防止用の別部材を設けずに可変開口絞Ａを構成することができ、構成の簡略化と小型化（特に光軸方向の薄型化）を達成することができる。
【００３５】
図９ないし図１２に絞羽根の形状を異ならせた別実施形態を示す。図９ないし図１２において、先の実施形態と共通する要素は同じ符号で示している。この実施形態における第１絞羽根１７４と第２絞羽根１７５は、先の実施形態の第１絞羽根７４や第２絞羽根７５のように開口形成部７４ｃ、７５ｃの外側全体が遮光板部７４ｄ、７５ｄで囲まれた閉鎖開口形状ではなく、開口形成部１７４ｃ、１７５ｃの一部が遮光板部１７４ｄ、１７５ｄに囲まれずに各絞羽根１７４、１７５の外縁に開放された開放開口形状となっている。詳細には、開口形成部１７４ｃ、１７５ｃのうち小径穴部１７４ｃ２、１７５ｃ２は先の実施形態の小径穴部７４ｃ２、７５ｃ２と同じ形状であり、これに続く大径穴部１７４ｃ１、１７５ｃ１が第１絞羽根１７４と第２絞羽根１７５の外縁に連通している。第１絞羽根１７４と第２絞羽根１７５はいずれも、回動中心穴７４ａ、７５ａから遠い遮光板部１７４ｄ、１７５ｄの先端側に、大径穴部１７４ｃ１、１７５ｃ１の形成領域から延長された遮光板延長部１７４ｅ、１７５ｅを有する。第１絞羽根１７４は、図１２に示す小開口形成位置で、遮光板延長部１７４ｅの先端を２群レンズ移動枠８の前面のストッパ突起１８６に当接させ、第２絞羽根１７５は、図１１に示す小開口形成位置で、遮光板延長部１７５ｅの先端を２群レンズ移動枠８の前面のストッパ突起１８７に当接させる。
【００３６】
第２絞羽根１７５は、図９の大開口形成位置から図１１の小開口形成位置までの回動域の全体で、第２象限Ｑ２と第４象限Ｑ４にて遮光板延長部１７５ｅを含む遮光板部１７５ｄを絞羽根支持面８ｃと重畳させ、遮光板部１７５ｄが貫通長溝部８ｅを幅方向（図９及び図１１の左右方向）に跨ぐ橋絡形状とされている。第１絞羽根１７４も同様に、図１０の大開口形成位置から図１２の小開口形成位置までの回動域の全体で、第２象限Ｑ２と第４象限Ｑ４にて遮光板延長部１７４ｅを含む遮光板部１７４ｄを絞羽根支持面１００ｃと重畳させ、遮光板部１７４ｄが有底長溝部１００ｄを幅方向（図１０及び図１２の左右方向）に跨ぐ橋絡形状とされている。これにより、回動平面（光軸Ｏと直交する平面）に対する第１絞羽根１７４と第２絞羽根１７５の傾きを抑え、貫通長溝部８ｅや有底長溝部１００ｄ内への各絞羽根１７４、１７５の進入（干渉）を防ぐことができる。
【００３７】
以上、図示実施形態に基づき説明したが、本発明はこの実施形態に限定されるものではない。例えば、図示実施形態は、焦点距離に応じて開放Ｆ値を変化させるズームレンズ鏡筒の可変開口絞機構へ適用したものであるが、広く露光制御用の絞機構一般に適用することができる。
【符号の説明】
【００３８】
６  ２群レンズ保持枠
８  ２群レンズ移動枠（支持環）
８ｃ  絞羽根支持面
８ｄ  中央開口
８ｅ  貫通長溝部（長溝）
８ｆ  外縁開口部
８ｘ  回動支持穴
１０  直進案内環
１１  カム環
１２  繰出筒
２１  撮像素子ホルダ
２２  ハウジング
２５  ローパスフィルタ
２６  撮像素子
５１  ３群レンズ枠
７２  開閉軸
７２ｂ  開閉ピン
７４  １７４  第１絞羽根
７４ａ  回動中心穴
７４ｂ  開閉カム穴
７４ｂ１  大開口維持領域
７４ｂ２  小開口維持領域
７４ｃ  １７４ｃ  開口形成部
７４ｃ１  １７４ｃ１  大径穴部
７４ｃ２  １７４ｃ２  小径穴部
７４ｄ  １７４ｄ遮光板部
７５  １７５  第２絞羽根
７５ａ  回動中心穴
７５ｂ  開閉カム穴
７５ｂ１  大開口維持領域
７５ｂ２  小開口維持領域
７５ｃ  １７５ｃ  開口形成部
７５ｃ１  １７５ｃ１  大径穴部
７５ｃ２  １７５ｃ２  小径穴部
７５ｄ  １７５ｄ  遮光板部
８０  ２群レンズブロック
８１  ８２  軸突起
８４  回動付勢バネ
８６  ８７  ストッパ突起
１００  シャッタブロック（支持環）
１００ａ  係止凹部
１００ｂ  固定開口
１００ｃ  絞羽根支持面
１００ｄ  有底長溝部（長溝）
１００ｅ  外縁開口部
１００ｘ  回動支持穴
１７４ｅ  １７５ｅ  遮光板延長部
Ａ  可変開口絞
Ａａ  大開口
Ａｂ  小開口
ＣＦ１  １群用カムフォロア
ＣＧ１  １群制御カム溝
ＣＦ２  ２群用カムフォロア
ＣＧ２  ２群制御カム溝
ＬＧ１  第１レンズ群
ＬＧ２  第２レンズ群
ＬＧ３  第３レンズ群
Ｏ  光軸
Ｓ  シャッタ
ＺＬ  ズームレンズ鏡筒
【図１】
2012220584.tif 000003
【図２】
2012220584.tif 000004
【図３】
2012220584.tif 000005
【図４】
2012220584.tif 000006
【図５】
2012220584.tif 000007
【図６】
2012220584.tif 000008
【図７】
2012220584.tif 000009
【図８】
2012220584.tif 000010
【図９】
2012220584.tif 000011
【図１０】
2012220584.tif 000012
【図１１】
2012220584.tif 000013
【図１２】
2012220584.tif 000014